(57)【要約】【課題】ＳＣＣの継続時間を短くすることによって移動局装置の消費電力を小さくする。【解決手段】移動局装置とＣＡ（Career Aggregation）通信を行なう基地局装置であって、移動局装置に対してＣＡ通信要求を行なう一方、移動局装置から内部情報を受信する基地局通信部１１と、ＣＡ通信開始後、移動局装置とのデータ通信量に応じて、ＣＡ通信が不要となったかどうかを判断し、判断の結果、ＣＡ通信が不要となった場合は、移動局装置の内部情報に基づいて、ＣＡ通信が不要と判断したときから移動局装置に対してＳＣＣ（Secondary Component Carrier）の切断要求をするまでの時間を基地局タイマー１５に設定する基地局制御部１３と、を備え、基地局装置タイマー１５に設定された時間の満了後、移動局装置に対して、ＳＣＣの切断要求を行なう。【選択図】図１
2015061191.tif 000002
【特許請求の範囲】
【請求項１】
移動局装置とＣＡ（Career Aggregation）通信を行なう基地局装置であって、
前記移動局装置に対してＣＡ通信要求を行なう一方、前記移動局装置から内部情報を受信する基地局通信部と、
ＣＡ通信開始後、前記移動局装置とのデータ通信量に応じて、ＣＡ通信が不要となったかどうかを判断し、前記判断の結果、ＣＡ通信が不要となった場合は、前記移動局装置の内部情報に基づいて、ＣＡ通信が不要と判断したときから前記移動局装置に対してＳＣＣ（Secondary Component Carrier）の切断要求をするまでの時間を基地局タイマーに設定する基地局制御部と、を備え、
前記基地局タイマーに設定された時間の満了後、前記移動局装置に対して、ＳＣＣの切断要求を行なうことを特徴とする基地局装置。
【請求項２】
前記基地局制御部は、前記内部情報に基づき予め設定されている時間よりも短い時間を前記基地局タイマーに設定することを特徴とする請求項１記載の基地局装置。
【請求項３】
基地局装置とＣＡ（Career Aggregation）通信を行なう移動局装置であって、
前記基地局装置からＣＡ通信要求を受信する移動局通信部と、
自装置の内部状態を示す内部情報を検出し、検出した内部情報に基づいて、前記基地局装置が、ＣＡ通信を不要と判断したときから自装置に対してＳＣＣ（Secondary Component Carrier）の切断要求をするまでの時間を示す基地局タイマー設定値を出力する移動局制御部と、を備え、
前記移動局通信部は、前記基地局タイマー設定値を前記基地局装置に送信することを特徴とする移動局装置。
【請求項４】
基地局装置とＣＡ（Career Aggregation）通信を行なう移動局装置であって、
前記基地局装置からＣＡ通信要求またはＳＣＣ（Secondary Component Carrier）の切断要求を受信する移動局通信部と、
ＣＡ通信開始後、前記基地局装置からＳＣＣの切断要求を受信した場合、自装置の内部状態を示す内部情報を検出し、検出した内部情報に基づいて、前記ＳＣＣの切断要求を受信してからＳＣＣを切断するまでの時間を自装置における移動局タイマーに設定する移動局制御部と、を備え、
前記移動局タイマーに設定された時間の満了後、ＳＣＣの切断を行なうことを特徴とする移動局装置。
【請求項５】
移動局装置と基地局装置とがＣＡ（Career Aggregation）通信を行なう無線通信方法であって、
前記基地局装置が、前記移動局装置に対してＣＡ通信要求を行なうステップと、
前記移動局装置が、自装置の内部状態を示す内部情報を検出し、検出した内部情報を前記基地局装置へ送信するステップと、
前記基地局装置が、ＣＡ通信開始後、前記移動局装置とのデータ通信量に応じて、ＣＡ通信が不要となったかどうかを判断し、前記判断の結果、ＣＡ通信が不要となった場合は、前記移動局装置の内部情報に基づいて、ＣＡ通信が不要と判断したときから前記移動局装置に対してＳＣＣ（Secondary Component Carrier）の切断要求をするまでの時間を基地局タイマーに設定するステップと、
前記基地局装置が、前記基地局タイマーに設定された時間の満了後、前記移動局装置に対して、ＳＣＣの切断要求を行なうステップと、
前記移動局装置が、前記ＳＣＣの切断要求を受信した後、ＳＣＣの切断を行なうステップと、を少なくとも含むことを特徴とする無線通信方法。
【発明の詳細な説明】
【技術分野】
【０００１】
本発明は、移動局装置と基地局装置とがＣＡ（Career Aggregation）通信を行なう技術に関する。
【背景技術】
【０００２】
３ＧＰＰ（3rd Generation Partnership Project）では、現在、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（LTEの20MHzの帯域を越え、100MHzまでの帯域）をサポートすることが決まっている。
【０００３】
ＬＴＥ−Ａでは、ＬＴＥとの互換性を可能な限り維持する目的から、キャリアアグリゲーション（CA：Career Aggregation）技術が採用される。キャリアアグリゲーション技術は、コンポーネントキャリア（CC：Component Carrier）と呼ばれる帯域幅２０ＭＨｚまでの周波数帯域を、複数利用し、まとめて通信を行なうことにより最大１００ＭＨｚの帯域幅を確保し、これにより高速かつ大容量の通信を実現させる技術である。
【０００４】
複数のコンポーネントキャリアのうち、ＰＵＣＣＨを送信するＣＣをＰＣＣ（Primary Component Carrier）とし、ＰＵＣＣＨを送信しないＰＣＣ以外のＣＣをＳＣＣ（Secondary Component Carrier）としている。
【０００５】
複数の周波数帯域を利用したＣＡ通信中に、データ通信量が減少したときは、ＳＣＣの周波数帯の利用を中止し、ＰＣＣのみで通信を継続することになる。このとき、ＳＣＣ切断処理（Deactivation）は、非特許文献１および２で規定されている。
【０００６】
図３は、ＣＡ開始からＳＣＣが切断されるまでの時間経過を示す図である。基地局装置が、ＣＡ通信中に、データ通信量が低下し、ＳＣＣを切断（Deactive状態）にすると判断した場合に、ある一定時間経過した後、移動局装置に対してＳＣＣ切断要求（Deactivation command）を通知する。移動局装置は、ＳＣＣ切断要求（Deactivation command） を受信すると、移動局装置内のＳＣＣのタイマーＤｅａｃｔｉｖａｔｉｏｎ  Ｔｉｍｅｒを稼働、あらかじめ設定されたＤｅａｃｔｉｖａｔｉｏｎ  Ｔｉｍｅｒが満了すると、さらに８サブフレーム以降にＳＣＣを切断する。
【０００７】
この場合、基地局装置側で、データ通信量が減り、ＣＡ通信を中止すると判断し、移動局装置に対してＤｅａｃｔｉｖａｔｉｏｎ  ｃｏｍｍａｎｄ  を通知、移動局装置がＤｅａｃｔｉｖａｔｉｏｎ  Ｃｏｍｍａｎｄを受信して、あらかじめ移動局装置に設定されたタイマー時間（Deactivation Timer）が満了するまで、ＳＣＣは通信を継続（Activation）したままとなる。
【先行技術文献】
【特許文献】
【０００８】
【特許文献１】特許第５０５３４０９号明細書
【非特許文献】
【０００９】
【非特許文献１】3GPP 36.321 5.13章 Activation/Deactivation of SCells
【非特許文献２】3GPP 36.213 4.3章 Timing for Secondary Cell Activation/Deactivation
【発明の概要】
【発明が解決しようとする課題】
【００１０】
ここで、ＳＣＣは、パケット通信の有無に関係なく基地局装置の通知タイマー及び、移動局装置のＤｅａｃｔｉｖａｔｉｏｎ  Ｔｉｍｅｒが満了になるまでの一定時間は、接続した状態（Activation）を維持する。このＳＣＣが接続した状態（Activation）は、消費電力の多い状態であり、一定時間この状態を維持することは、移動局装置の電池持ちを悪くする恐れがある。つまり、基地局装置が、データ通信量が低下し、ＣＡを中止すると判断してから、Ｄｅａｃｔｉｖａｔｉｏｎ  Ｔｉｍｅｒが満了するまで移動局装置のＳＣＣはＡｃｔｉｖａｔｉｏｎ状態で消費電流が大きくなる。例えば、ユーザーが移動局装置を使用していないとき（表示がOFF中）は、ＣＡ通信をするだけの充分大きなパケット通信量が、連続して発生する可能性は低く、ＳＣＣを長い時間、消費電力が高い状態を一定時間保つのは無駄になってしまう。
【００１１】
すなわち、ＣＡ通信中に、データ通信量が低下して基地局装置がＳＣＣをＤｅａｃｔｉｖｅ状態にするという決定を行なっても、ある一定の時間、移動局装置のＳＣＣをＡｃｔｉｖａｔｉｏｎ状態が続くため、移動局装置の消費電流が大きくなってしまう。
【００１２】
本発明は、このような事情に鑑みてなされたものであり、ＳＣＣの継続時間を短くすることによって、移動局装置の消費電力を削減するための制御を行なう基地局装置、及び移動局装置および無線通信方法を提供することを目的とする。
【課題を解決するための手段】
【００１３】
上記の目的を達成するために、本発明は、以下のような手段を講じた。すなわち、本発明の基地局装置は、移動局装置とＣＡ（Career Aggregation）通信を行なう基地局装置であって、前記移動局装置に対してＣＡ通信要求を行なう一方、前記移動局装置から内部情報を受信する基地局通信部と、ＣＡ通信開始後、前記移動局装置とのデータ通信量に応じて、ＣＡ通信が不要となったかどうかを判断し、前記判断の結果、ＣＡ通信が不要となった場合は、前記移動局装置の内部情報に基づいて、ＣＡ通信が不要と判断したときから前記移動局装置に対してＳＣＣ（Secondary Component Carrier）の切断要求をするまでの時間を基地局タイマーに設定する基地局制御部と、を備え、前記基地局タイマーに設定された時間の満了後、前記移動局装置に対して、ＳＣＣの切断要求を行なうことを特徴とする。
【００１４】
このように、移動局装置の内部情報に基づいて、ＣＡ通信が不要と判断したときから移動局装置に対してＳＣＣの切断要求をするまでの時間を基地局タイマーに設定し、基地局タイマーに設定された時間の満了後、前記移動局装置に対して、ＳＣＣの切断要求を行なうので、内部情報が、例えば、移動局装置の消費電力が高い状態を維持すべきでないことを示す場合、予め設定されている時間よりも短い時間を基地局タイマーに設定することができ、移動局装置の消費電力を小さくすることが可能となる。
【発明の効果】
【００１５】
本発明によれば、予め設定されている時間よりも短い時間を基地局タイマーに設定することができ、移動局装置の消費電力を小さくすることが可能となる。
【図面の簡単な説明】
【００１６】
【図１】第１の実施形態に係る基地局装置の概略構成を示すブロック図である。
【図２】第１の実施形態に係る移動局装置の概略構成を示すブロック図である。
【図３】ＣＡ開始からＳＣＣが切断されるまでの時間経過を示す図である。
【図４】移動局装置と基地局装置の無線通信の手順を示すシーケンスチャートである。
【図５】第１の実施形態に係る基地局装置の動作を示すフローチャートである。
【図６】第１の実施形態に係る移動局装置の動作を示すフローチャートである。
【図７】移動局装置が、状態通知“１”を基地局装置に通知した場合の移動局装置の時間経過の動作を示す図である。
【図８】第１の実施形態の変形例に係る移動局装置の動作を示すフローチャートである。
【図９】移動局装置と基地局装置の無線通信の手順を示すシーケンスチャートである。
【図１０】第２の実施形態に係る移動局装置の動作を示すフローチャートである。
【図１１】第２の実施形態に係る基地局装置の動作を示すフローチャートである。
【図１２】第３の実施形態に係る移動局装置と基地局装置の無線通信の手順を示すシーケンスチャートである。
【図１３】ＬＣＤ＿ＯＦＦの場合の移動局装置のＰＣＣ／ＳＣＣ時間経過を示す図である。
【図１４】第３の実施形態に係る移動局装置の動作を示すフローチャートである。
【図１５】第５の実施形態に係る移動局装置の動作を示すフローチャートである。
【発明を実施するための形態】
【００１７】
（第１の実施形態）
第１の実施形態では、移動局装置の内部情報を、基地局装置にあらかじめ通知し、基地局装置では、ＣＡ通信をするだけの充分大きなパケット通信量が、連続して発生する可能性が低い時に、移動局装置の内部情報を基に、移動局装置に対してＤｅａｃｔｉｖａｔｉｏｎ  ｃｏｍｍａｎｄを通常より早く通知し、移動局装置のＡｃｔｉｖａｔｉｏｎ状態の時間を短くする方法を記載する。
【００１８】
図１は、第１の実施形態に係る基地局装置の概略構成を示すブロック図である。基地局装置１０は、移動局装置とＣＡ（Career Aggregation）通信を行なう。基地局通信部１１は、移動局装置に対してＣＡ通信要求を行なう一方、移動局装置から内部情報を受信する。基地局制御部１３は、ＣＡ通信開始後、移動局装置とのデータ通信量に応じて、ＣＡ通信が不要となったかどうかを判断する。この判断の結果、ＣＡ通信が不要となった場合は、移動局装置の内部情報に基づいて、ＣＡ通信が不要と判断したときから移動局装置に対してＳＣＣ（Secondary Component Carrier）の切断要求をするまでの時間を基地局タイマー１５に設定する。そして、基地局装置１０は、基地局タイマー１５に設定された時間の満了後、移動局装置に対して、ＳＣＣの切断要求を行なう。
【００１９】
なお、基地局制御部１３は、内部情報が、例えば、移動局装置の消費電力が高い状態を維持すべきでないことを示す場合、予め設定されている時間よりも短い時間を基地局タイマー１５に設定する。
【００２０】
図２は、第１の実施形態に係る移動局装置の概略構成を示すブロック図である。移動局装置２０は、基地局装置とＣＡ（Career Aggregation）通信を行なう。移動局通信部２１は、基地局装置からＣＡ通信要求を受信する。移動局制御部２３は、自装置の内部状態を示す内部情報を検出し、検出した内部情報を、移動局通信部２１を介して基地局装置に通知する。移動局タイマー２５は、ＳＣＣ切断要求を受信してからＳＣＣの切断を行なうまでの時間を設定する。
【００２１】
移動局装置２０は、ＣＡ通信を開始するときに、移動局装置２０の内部情報を基地局装置１０に通知する。基地局装置１０は、移動局装置２０の内部情報を受信したら、その情報に基づき、ＳＣＣのＤｅａｃｔｉｖａｔｉｏｎ  ｃｏｍｍａｎｄ通知を行なうタイミングを変更する。以下、基地局装置１０が、移動局装置２０のＳＣＣのＡｃｔｉｖａｔｉｏｎ時間を設定する例を説明する。
【００２２】
移動局装置２０は、ＣＡ通信の開始時に、移動局装置内部情報を通知し、基地局装置１０は、その情報に基づき、ＳＣＣ切断要求（Deactivation command）を通知するタイミングを変更する。ここでは、移動局装置２０の内部情報として、「表示状態」を通知する場合、例えば、表示がＯＮしている、またはＯＦＦしている場合について説明する。
【００２３】
図４は、移動局装置と基地局装置の無線通信の手順を示すシーケンスチャートである。まず、ＭＡＣ＿Ｍａｉｎｃｏｎｆｉｇメッセージで、ＳＣＣ切断までのタイマー設定Ｄｅａｃｔｉｖａｔｉｏｎ  Ｔｉｍｅｒがあらかじめ設定される（１）。実際には、ＭＡＣ−Ｍａｉｎ−Ｃｏｎｆｉｇメッセージ内で、“ｓＣｅｌｌＤｅａｃｔｉｖａｔｉｏｎ  Ｔｉｍｅｒ−ｒ１０”のパラメータが移動局装置に通知される。この段階では、ＰＣＣ（Primary Componet Carrier）のみを使ったデータ通信が実行されている。次に、基地局装置が、ある時にＣＡ通信要求を行なう（２）。移動局装置は、ＣＡ通信要求を受信すると、移動局装置の表示状態（内部情報）を確認する（３）。表示がＯＮしている場合は、“０”を、表示がＯＦＦしている場合は“１”を通知する（４）。ＰＣＣ／ＳＣＣの複数の周波数帯域を利用して、ＣＡのデータ送受信を開始する（５）。
【００２４】
基地局装置が、データ通信量が低下し、ＣＡ通信不要と判断したら、基地局装置が（４）で受信した移動局装置の内部情報（状態通知情報）を基に、ＳＣＣ切断要求（Deactivation command）を通知するタイミングを変える（６）。（４）の状態表示が“１”の場合、ＳＣＣ切断要求（Deactivation command）を直ちに通知する。つまり、基地局装置の通知タイマーを稼働させない。もしくは通常よりも短い通知タイマーを設定し、通知タイマーが満了したらＳＣＣ切断要求を通知する。（４）の状態表示が“０”の場合、従来通りの通知タイマーを稼働し、一定時間経過してから、ＳＣＣ切断要求（Deactivation command）を通知する。状態表示“０”の場合は、従来動作のままになる。基地局装置は、移動局装置に対してＰＣＣを使って、ＳＣＣ切断要求を通知する（７）。移動局装置は、ＳＣＣ切断要求を受信すると、Ｄｅａｃｔｉｖａｔｉｏｎ  Ｔｉｍｅｒを動作させ、Ｔｉｍｅｒが満了となった時点でＳＣＣをＤｅａｃｔｉｖｅ状態にする（８）。
【００２５】
図５は、第１の実施形態に係る基地局装置の動作を示すフローチャートである。まず、移動局装置に対して、ＭＡＣ＿Ｍａｉｎｃｏｎｆｉｇメッセージを通知する（ステップＳ１）。次に、ＣＡ通信要求を通知する（ステップＳ２）。移動局装置から内部情報（状態通知）を受信し（ステップＳ３）、ＣＡ通信を開始する（ステップＳ４）。次に、ＣＡ通信を終了すべきか否かを判断する（ステップＳ５）。ステップＳ３で受信した移動局装置からの状態通知が１であるかどうかを判断し（ステップＳ６）、１である場合は、０または通常よりも短い時間を通知タイマーに設定し、稼働させて（ステップＳ７）、ステップＳ９に遷移する。一方、ステップＳ６において、移動局からの状態通知が１でない場合は、従来の通知タイマーを稼働させる（ステップＳ８）。タイマーが満了すると（ステップＳ９）、ＳＣＣの切断要求を移動局装置に通知して（ステップＳ１０）、終了する。
【００２６】
このように、基地局装置は、移動局装置内部情報に基づき、ＳＣＣ切断要求信号の通知タイミングを変更する。移動局装置の状態表示が“１”の場合に、通知タイマー値をゼロに設定し、ＳＣＣ切断要求を直ちに通知する。もしくは、通知タイマー値を通常より短い時間に設定して通知タイマーが満了したら、ＳＣＣ切断要求を直ちに通知する。移動局装置の状態表示が“０”の場合に、従来通りに、通知タイマー動作させ、一定時間、置いてからＳＣＣ切断要求を通知する。要するに、移動局装置の状態表示に従って、基地局装置の通知タイマー値を変更し、移動局装置にＳＣＣ切断要求（Deactivation command）を通知するタイミングを変更する。
【００２７】
図６は、第１の実施形態に係る移動局装置の動作を示すフローチャートである。基地局装置からＭＡＣ＿Ｍａｉｎｃｏｎｆｉｇメッセージを受信し（ステップＳ１０１）、ＣＡ通信要求を受信する（ステップＳ１０２）。次に、自装置の状態を確認し、内部情報を抽出する（ステップＳ１０３）。表示状態がＯＦＦであるかどうかを判断し（ステップＳ１０４）、ＯＦＦである場合は、状態通知として「１」を出力し（ステップＳ１０５）、ステップＳ１０７へ遷移する。一方、ステップＳ１０４において、表示状態がＯＦＦでない場合は、状態通知として「０」を出力し（ステップＳ１０６）、ＣＡ通信を開始する（ステップＳ１０７）。基地局装置から、ＳＣＣ切断要求を受信すると（ステップＳ１０８）、ＳＣＣをＤｅａｃｔｉｖｅ状態に設定し（ステップＳ１０９）、終了する。
【００２８】
このように、移動局装置は、基地局装置からのＣＡ通信要求を受信すると、移動局装置の内部状態を確認、表示がＯＮされている時は、基地局装置に状態通知“０“を通知する。表示がＯＦＦしている時は、状態通知“１”を通知する。
【００２９】
図７は、移動局装置が、状態通知“１”を基地局装置に通知した場合の移動局装置の時間経過の動作を示す図である。図７を図３と比較すると、ＳＣＣのＡｃｔｉｖａｔｉｏｎ時間が短くなり、移動局装置の消費電力が低下させることができることが分かる。
【００３０】
（第１の実施形態の変形例）
第１の実施形態では、移動局装置の内部情報の要因として、表示ＯＮか、表示ＯＦＦかを判断材料として行なったが、表示とは異なる移動局装置の内部情報を基に、状態通知を通知してもよい。例えば、ＷｉＦｉの動作状態、音声データ量、電池残量の情報などの別な要因で状態通知を行なってもよい。
【００３１】
ここでは、ＷｉＦｉの動作状態を要因として基地局装置に状態通知を行なう場合を説明する。移動局装置のＷｉＦｉを利用時には、状態通知“０”、ＷｉＦｉが利用されていない時には、状態通知“１”を通知する。
【００３２】
図８は、第１の実施形態の変形例に係る移動局装置の動作を示すフローチャートである。基地局装置からＭＡＣ＿Ｍａｉｎｃｏｎｆｉｇメッセージを受信し（ステップＳ１１１）、ＣＡ通信要求を受信する（ステップＳ１１２）。次に、自装置の状態を確認し、内部情報を抽出する（ステップＳ１１３）。Ｗｉ−Ｆｉ状態がＯＦＦであるかどうかを判断し（ステップＳ１１４）、ＯＦＦである場合は、状態通知として「１」を出力し（ステップＳ１１５）、ステップＳ１１７へ遷移する。一方、ステップＳ１０４において、Ｗｉ−Ｆｉ状態がＯＦＦでない場合は、状態通知として「０」を出力し（ステップＳ１１６）、ＣＡ通信を開始する（ステップＳ１１７）。基地局装置から、ＳＣＣ切断要求を受信すると（ステップＳ１１８）、ＳＣＣをＤｅａｃｔｉｖｅ状態に設定し（ステップＳ１１９）、終了する。
【００３３】
このように、移動局装置のＷｉＦｉが利用されていない場合には、状態表示が“１”が基地局装置に通知され、通知タイマー値をゼロに設定し、ＳＣＣ切断要求を直ちに通知する。もしくは、通知タイマー値を通常より短い時間に設定して通知タイマーが満了したら、ＳＣＣ切断要求を直ちに通知する。移動局装置のＷｉＦｉが利用されている場合には、状態表示が“０”が通知され、基地局装置は、従来通りに、通知タイマー動作させ、一定時間、置いてからＳＣＣ切断要求を通知する。
【００３４】
第１の実施形態の特徴は、移動局装置の状態表示に従って、基地局装置の通知タイマー値を変更し、移動局装置にＳＣＣ切断要求（Deactivation command）を通知するタイミングを変更することである。例えば、音声データ量に基づいて通知する場合は、高品質な音声通話行なうため音声データ量が多いと判断した場合、状態通知“０”、低品質な音声通信などで音声データ量が少ない判断した場合、状態通知“１”を通知する。
【００３５】
また、一般的に、ＣＡ通信開始時に、データ通信量が多くなると予想もしくは、実際にデータ通信量が多い場合には、状態通知“０”を通知し、ＣＡ通信開始時に、データ通信量が少ないと予想もしくは、実際にデータ通信量が少ない場合には、状態通知“１”を通知することで、基地局装置は、通知タイマーをゼロもしくは、従来より短い通知タイマー時間に設定することを可能とし、Ｄｅａｃｔｉｖａｔｉｏｎ  ｃｏｍｍａｎｄを、従来より早く移動局装置に通知する。移動局装置は、Ｄｅａｃｔｉｖａｔｉｏｎ  ｃｏｍｍａｎｄを受信すると、Ａｃｔｉｖａｔｉｏｎ時間を短くすることができ、消費電力が低下する。
【００３６】
また、電池残量を内部情報として利用する場合は、電池残量が多い場合は、状態通知“０”を通知し、従来通りの通知タイマをー設定する。電池残量が少なくなってくると、状態通知“１”を通知し、通知タイマーをゼロもしくは、従来より短い通知タイマー時間に設定することとし、Ｄｅａｃｔｉｖａｔｉｏｎ  ｃｏｍｍａｎｄを従来より早く移動局装置に通知する。
【００３７】
以下の表は、移動局装置の内部情報を判断する項目例を示す。
【００３８】
【表１】
2015061191.tif 000003
【００３９】
なお、移動局装置からの状態通知は、２値に限ったことではなく、３値以上の値を通知してもよい。３値以上の場合は、Ｆａｓｔ、Ｍｉｄｄｌｅ  Ｓｌｏｗ等となり、具体的には、Ｆａｓｔを受信した基地局装置は、通知タイマー値を０秒に設定し、Ｍｉｄｄｌｅを受信した基地局装置は、通知タイマー値を５〜１０秒のいずれかに設定し、Ｓｌｏｗを受信した基地局装置は、通知タイマー値を１０〜２０秒のいずれかに設定する、などとしてもよい。
【００４０】
（第２の実施形態）
第１の実施形態では、移動局装置が状態通知を行なって、基地局装置が、状態通知に基づいてＤｅａｃｔｉｖａｔｉｏｎ  ｃｏｍｍａｎｄ通知までの通知タイマー値を設定していたが、第２の実施形態では、移動局装置が主導して通知タイマー設定値を決定する場合について説明する。
【００４１】
図２において、移動局制御部２３は、自装置の内部状態を示す内部情報を検出し、検出した内部情報に基づいて、基地局装置が、ＣＡ通信が不要と判断したときから自装置に対してＳＣＣの切断要求をするまでの時間を示す基地局タイマー設定値を出力する。そして、移動局通信部２１は、基地局タイマー設定値を基地局装置に送信する。
【００４２】
図９は、移動局装置と基地局装置の無線通信の手順を示すシーケンスチャートである。（１）から（３）までは、第１の実施形態と同様である。本実施形態では、（４）の状態通知で、通知タイマー設定値を通知する部分が異なる。まず、ＭＡＣ＿Ｍａｉｎｃｏｎｆｉｇメッセージで、ＳＣＣ切断までのタイマー設定Ｄｅａｃｔｉｖａｔｉｏｎ  Ｔｉｍｅｒがあらかじめ設定される（１）。実際には、ＭＡＣ−Ｍａｉｎ−Ｃｏｎｆｉｇメッセージ内で、“ｓＣｅｌｌＤｅａｃｔｉｖａｔｉｏｎ  Ｔｉｍｅｒ−ｒ１０”のパラメータが移動局装置に通知される。この段階では、ＰＣＣ（Primary Componet Carrier）のみを使ったデータ通信が実行されている。次に、基地局装置が、ある時にＣＡ通信要求を行なう（２）。移動局装置は、ＣＡ通信要求を受信すると、移動局装置の表示状態を確認する（３）。移動局装置は、内部情報を基に、通知タイマー設定値決め、その設定タイマー値を基地局装置に通知する（４）。次に、ＰＣＣ／ＳＣＣの複数の周波数帯域を利用して、ＣＡのデータ送受信を開始する（５）。基地局装置が、データ通信量が低下し、ＣＡ通信不要と判断したら、基地局装置が（４）で受信した通知タイマー設定値を基に、通知タイマーを稼働させる（６）。基地局装置は、移動局装置に対してＰＣＣを使って、ＳＣＣ切断要求を通知する（７）。移動局装置は、ＳＣＣ切断要求を受信すると、Ｄｅａｃｔｉｖａｔｉｏｎ  Ｔｉｍｅｒを動作させ、Ｔｉｍｅｒが満了となった時点でＳＣＣをＤｅａｃｔｉｖｅ状態にする（８）。
【００４３】
図１０は、第２の実施形態に係る移動局装置の動作を示すフローチャートである。基地局装置からＭＡＣ＿Ｍａｉｎｃｏｎｆｉｇメッセージを受信し（ステップＳ２０１）、ＣＡ通信要求を受信する（ステップＳ２０２）。次に、自装置の状態を確認し、内部情報を抽出する（ステップＳ２０３）。そして、基地局装置における通知タイマーの値を決定する（ステップＳ２０４）。抽出したタイマー値を基地局装置に通知する（ステップＳ２０５）。次に、ＣＡ通信を開始する（ステップＳ２０６）。基地局装置から、ＳＣＣ切断要求を受信すると（ステップＳ２０７）、ＳＣＣをＤｅａｃｔｉｖｅ状態に設定し（ステップＳ２０８）、終了する。
【００４４】
図１１は、第２の実施形態に係る基地局装置の動作を示すフローチャートである。移動局装置に対して、ＭＡＣ＿Ｍａｉｎｃｏｎｆｉｇメッセージを通知し（ステップＳ３０１）、ＣＡ通信要求を通知する（ステップＳ３０２）。次に、移動局装置から通知タイマー値を受信し（ステップＳ３０３）、ＣＡ通信を開始する（ステップＳ３０４）。次に、ＣＡ通信終了を判定し（ステップＳ３０５）、ＣＡ通信を終了すると判断した場合は、通知タイマーを稼働させる（ステップＳ３０６）。タイマーが満了すると（ステップＳ３０７）、移動局装置に対して、ＳＣＣ切断要求を通知し（ステップＳ３０８）、終了する。
【００４５】
このように、基地局装置では、移動局装置からの通知タイマー値に基づいて通知タイマーを稼働させ、タイマー満了時にＳＣＣ切断要求通知を行なう。つまり、移動局装置が、移動局装置の内部情報、例えば、データ通信量や電池残量の状態、ＷｉＦｉの動作の有無、表示ＯＮ／ＯＦＦ等の情報もとに、主導してＳＣＣのＡｃｔｉｖａｔｉｏｎ状態の時間を短く設定することができるようになる。なお、時間を設定するのではなく、フレーム数やサブフレーム数等の数字を通知してもよい。実施形態１では、移動局装置は、状態通知を行ったが、本実施形態２では、時間を具体的な数字として設定し通知することが特徴である。
【００４６】
（第３の実施形態）
第１の実施形態および第２の実施形態では、移動局装置の内部情報に基づき、通知タイマー値を、基地局装置または移動局装置がそれぞれ決定し、通知タイマーが満了した時に、ＳＣＣの切断要求（Deactivation command）を基地局装置が移動局装置に通知することを説明した。第３の実施形態では、Ｄｅａｃｔｉｖａｔｉｏｎ  ｃｏｍｍａｎｄを受信した移動局装置において、次に動作するＤｅａｃｔｉｖａｔｉｏｎ  Ｔｉｍｅｒを短く設定する方法について説明する。
【００４７】
＜表示を確認する方法＞
ＣＡ通信のＳＣＣのＤｅａｃｔｉｖａｔｉｏｎ要求を受信した場合に、表示状態を確認し、表示がＯＦＦしていると判断した場合、移動局装置のＤｅａｃｔｉｖａｔｉｏｎ  Ｔｉｍｅｒ待たずに、ＳＣＣのＤｅａｃｔｉｖａｔｉｏｎ応答を基地局装置に通知する制御方法について説明する。
【００４８】
図１２は、第３の実施形態に係る移動局装置と基地局装置の無線通信の手順を示すシーケンスチャートである。まず、基地局装置によって、ＭＡＣ＿Ｍａｉｎｃｏｎｆｉｇメッセージで、ＳＣＣ切断までのタイマー設定Ｄｅａｃｔｉｖａｔｉｏｎ  Ｔｉｍｅｒがあらかじめ設定される（１）。実際には、ＭＡＣ−Ｍａｉｎ−Ｃｏｎｆｉｇメッセージ内で、“ｓＣｅｌｌＤｅａｃｔｉｖａｔｉｏｎ  Ｔｉｍｅｒ−ｒ１０”のパラメータが移動局装置に通知される。この段階では、ＰＣＣ（Primary Componet Carrier）のみを使ったデータ通信が実行されている。次に、ＣＡ通信を開始する（２）。そして、ＰＣＣ／ＳＣＣの複数の周波数帯域を利用してデータ送受信を開始する。基地局装置がＣＡ通信不要と判断したら、ＳＣＣ切断要求（Deactivation command）を通知する（３）。ここでは、移動局装置に対してＰＣＣを使って、ＳＣＣ切断要求が通知される。移動局装置は、ＳＣＣ切断要求を受信する。次に、移動局装置は、ＬＣＤ＿ＯＦＦ／ＯＮを確認する（４）。移動局装置がＬＣＤ＿ＯＦＦ中で、ＳＣＣ不要と判断した場合、ＳＣＣのＤｅａｃｔｉｖａｔｏｎ応答をＰＣＣで基地局装置に通知する（５）。移動局装置はＰＣＣで、ＡＣＫ受信すると、すぐにＳＣＣをＤｅａｃｔｉｖａｔｉｏｎ状態にする（６）。
【００４９】
図１３は、ＬＣＤ＿ＯＦＦの場合の移動局装置のＰＣＣ／ＳＣＣ時間経過を示す図である。第３の実施形態では、ＬＣＤ＿ＯＮなら現在の３ＧＰＰ仕様通りに、Ｄｅａｃｔｉｖａｔｉｏｎタイマーを稼働させ、Ｔｉｍｅｒ満了になってからＳＣＣを切断する（図３に示す通り）。ＬＣＤ＿ＯＦＦの場合には、図１３に示すように、ＳＣＣのＡｃｔｉｖａｔｉｏｎ時間を短くすることで、消費電力を抑えることが可能となる。
【００５０】
図１４は、第３の実施形態に係る移動局装置の動作を示すフローチャートである。まず、Ｄｅａｃｔｉｖａｔｉｏｎ  Ｔｉｍｅｒを受信し（ステップＳ４０１）、ＣＡ通信を開始する（ステップＳ４０２）。次に、Ｄｅａｃｔｉｖａｔｉｏｎを受信すると（ステップＳ４０３）、ＬＣＤ＿ＯＮ、すなわち、操作中であるかどうかを判断する（ステップＳ４０４）。ＬＣＤ＿ＯＮではない、すなわち、ＬＣＤ＿ＯＦＦで、操作していない場合は、Ｄｅａｃｔｉｖａｔｉｏｎ応答を行ない（ステップＳ４０５）、基地局装置からＡＣＫを受信（ステップＳ４０６）すると、ステップＳ４０９に遷移する。一方、ステップＳ４０４において、ＬＣＤ＿ＯＮ、すなわち、操作中である場合は、Ｄｅａｃｔｉｖａｔｉｏｎ  Ｔｉｍｅｒを開始し（ステップＳ４０７）、Ｄｅａｃｔｉｖａｔｉｏｎ  Ｔｉｍｅｒが満了すると（ステップＳ４０８）、ステップＳ４０９に遷移する。ステップＳ４０９において、８Ｓｕｂｆｒａｍｅ以降にＳＣＣをＤｅａｃｔｉｖａｔｉｏｎとして、終了する。
【００５１】
（第４の実施形態）
第３の実施形態では、ＳＣＣをＤｅｃｔｉｖａｔｉｏｎ制御するための各制御信号をＰＣＣで行なったが、図１２に示すシーケンスチャートにおいて、（５）（６）の制御信号を、ＳＣＣを利用して、ＳＣＣのＤｅｃｔｉｖａｔｉｏｎ制御を行なってもよい。基地局装置と移動局装置の間で行なう通信制御信号は、第３の実施形態３と同じである。図１２において、移動局装置は、ＰＣＣで、ＳＣＣのＤｅｃｔｉｖａｔｉｏｎ要求を受信する（３）。移動局装置は、ＬＣＤ＿ＯＦＦ／ＯＮを確認する（４）。移動局装置がＬＣＤ＿ＯＦＦ中で、ＳＣＣ不要と判断した場合、ＳＣＣのＤｅａｃｔｉｖａｔｏｎ応答をＳＣＣで基地局装置に通知する（５）。移動局装置はＳＣＣで、ＡＣＫ受信すると、すぐにＳＣＣをＤｅａｃｔｉｖａｔｉｏｎ状態にする（６）。Ｄｅａｃｔｉｖａｔｉｏｎ応答信号のＡＣＫ信号をＳＣＣで受信したら、ＳＣＣをＡｃｔｉｖａｔｉｏｎ状態からＤｅａｃｔｉｖａｔｉｏｎ状態に替える。
【００５２】
（第５の実施形態）
第３の実施形態および第４の実施形態４では、移動局装置が、ＳＣＣ切断要求（Deactivation command）を受信し（３）、表示状態を確認して（４）、Ｄｅａｃｔｉｏｖａｔｉｏｎ応答を送信したが（５）、表示状態に関わらず、別な状態を確認して、Ｄｅａｃｔｉｏｖａｔｉｏｎ応答（５）を通知してもよい。例えば、利用者が、ボタン、キー操作部やタッチパネル部などを操作したか、操作していないかを判断基準にしてもよい。
【００５３】
図１５は、第５の実施形態に係る移動局装置の動作を示すフローチャートである。まず、Ｄｅａｃｔｉｖａｔｉｏｎ  Ｔｉｍｅｒを受信し（ステップＳ５０１）、ＣＡ通信を開始する（ステップＳ５０２）。次に、Ｄｅａｃｔｉｖａｔｉｏｎを受信すると（ステップＳ５０３）、操作中であるかどうかを判断する（ステップＳ５０４）。操作中でない場合は、Ｄｅａｃｔｉｖａｔｉｏｎ応答を行ない（ステップＳ５０５）、基地局装置からＡＣＫを受信すると（ステップＳ５０６）、ステップＳ５０９に遷移する。一方、ステップＳ５０４において、操作中である場合は、Ｄｅａｃｔｉｖａｔｉｏｎ  Ｔｉｍｅｒを開始し（ステップＳ５０７）、Ｄｅａｃｔｉｖａｔｉｏｎ  Ｔｉｍｅｒが満了すると（ステップＳ５０８）、ステップＳ５０９に遷移する。ステップＳ５０９において、８Ｓｕｂｆｒａｍｅ以降にＳＣＣをＤｅａｃｔｉｖａｔｉｏｎとして、終了する。
【００５４】
なお、操作したか、操作していないかの判断は、Ｄｅａｃｔｉｖａｔｉｏｎ  ｃｏｍｍａｎｄを受信したときの状態で判断してもよいし、Ｄｅａｃｔｉｖａｔｉｏｎ  ｃｏｍｍａｎｄ受信して、時間をさかのぼって３０秒間の状態を確認し、判断してもよい。
【００５５】
（第５の実施形態の変形例）
表示部、操作部以外に、移動局装置の他の内部機能の状態を確認したうえで、図１２におけるＤｅａｃｔｉｏｖａｔｉｏｎ応答（５）を通知してもよい。移動局装置の内部機能の状態とは、例えば、ＷｉＦｉ機能や音声機能、電池残量情報などである。ＷｉＦｉ機能の場合、ＷｉＦｉ機能を利用しているか利用していないかを判断して、利用していない場合は直ちにＳＣＣをＤｅａｃｔｉｖａｔｉｏｎ状態にするため、すぐにＤｅａｃｔｉｏｖａｔｉｏｎ応答（５）を通知してもよい。ＷｉＦｉ機能を利用している場合は、従来通り、Ｄｅａｃｔｉｖａｔｉｏｎ  Ｔｉｍｅｒが満了するまで一定時間を経過して、Ｄｅａｃｔｉｖａｔｉｏｎ状態にする。
【００５６】
また、電池残量表示の場合は、電池残量が低下した場合に、直ちにＳＣＣをＤｅａｃｔｉｖａｔｉｏｎ状態にするため、すぐにＤｅａｃｔｉｏｖａｔｉｏｎ応答（５）を通知してもよい。電池残量がある場合は、直ちにＤｅａｃｔｉｖａｔｉｏｎ状態にする必要性が少ないため、従来通り、Ｄｅａｃｔｉｖａｔｉｏｎ  Ｔｉｍｅｒが満了するまで一定時間を経過して、Ｄｅａｃｔｉｖａｔｉｏｎ状態にする。
【００５７】
本発明は、以下のような態様を採ることも可能である。すなわち、（１）本発明の基地局装置は、移動局装置とＣＡ（Career Aggregation）通信を行なう基地局装置であって、前記移動局装置に対してＣＡ通信要求を行なう一方、前記移動局装置から内部情報を受信する基地局通信部と、ＣＡ通信開始後、前記移動局装置とのデータ通信量に応じて、ＣＡ通信が不要となったかどうかを判断し、前記判断の結果、ＣＡ通信が不要となった場合は、前記移動局装置の内部情報に基づいて、ＣＡ通信が不要と判断したときから前記移動局装置に対してＳＣＣ（Secondary Component Carrier）の切断要求をするまでの時間を前記基地局タイマーに設定する基地局制御部と、を備え、前記基地局タイマーに設定された時間の満了後、前記移動局装置に対して、ＳＣＣの切断要求を行なうことを特徴とする。
【００５８】
（２）また、本発明の基地局装置において、前記基地局制御部は、前記内部情報が、例えば前記移動局装置の消費電力が高い状態を維持すべきでないことを示す場合、予め設定されている時間よりも短い時間を基地局タイマーに設定することを特徴とする。
【００５９】
（３）また、本発明の移動局装置は、基地局装置とＣＡ（Career Aggregation）通信を行なう移動局装置であって、前記基地局装置からＣＡ通信要求を受信する移動局通信部と、自装置の内部状態を示す内部情報を検出し、検出した内部情報に基づいて、前記基地局装置が、ＣＡ通信を不要と判断したときから自装置に対してＳＣＣ（Secondary Component Carrier）の切断要求をするまでの時間を示す基地局タイマー設定値を出力する移動局制御部と、を備え、前記移動局通信部は、前記基地局タイマー設定値を前記基地局装置に送信することを特徴とする。
【００６０】
（４）また、本発明の移動局装置は、基地局装置とＣＡ（Career Aggregation）通信を行なう移動局装置であって、前記基地局装置からＣＡ通信要求またはＳＣＣ（Secondary Component Carrier）の切断要求を受信する移動局通信部と、ＣＡ通信開始後、前記基地局装置からＳＣＣの切断要求を受信した場合、自装置の内部状態を示す内部情報を検出し、検出した内部情報に基づいて、前記ＳＣＣの切断要求を受信してからＳＣＣを切断するまでの時間を自装置における移動局タイマーに設定する移動局制御部と、を備え、前記移動局タイマーに設定された時間の満了後、ＳＣＣの切断を行なうことを特徴とする。
【００６１】
（５）また、本発明の無線通信方法は、移動局装置と基地局装置とがＣＡ（Career Aggregation）通信を行なう無線通信方法であって、前記基地局装置が、前記移動局装置に対してＣＡ通信要求を行なうステップと、前記移動局装置が、自装置の内部状態を示す内部情報を検出し、検出した内部情報を前記基地局装置へ送信するステップと、前記基地局装置が、ＣＡ通信開始後、前記移動局装置とのデータ通信量に応じて、ＣＡ通信が不要となったかどうかを判断し、前記判断の結果、ＣＡ通信が不要となった場合は、前記移動局装置の内部情報に基づいて、ＣＡ通信が不要と判断したときから前記移動局装置に対してＳＣＣ（Secondary Component Carrier）の切断要求をするまでの時間を基地局タイマーに設定するステップと、前記基地局装置が、前記基地局タイマーに設定された時間の満了後、前記移動局装置に対して、ＳＣＣの切断要求を行なうステップと、前記移動局装置が、前記ＳＣＣの切断要求を受信した後、ＳＣＣの切断を行なうステップと、を少なくとも含むことを特徴とする。
【００６２】
（６）これらの構成により、予め設定されている時間よりも短い時間を基地局タイマーに設定することができ、移動局装置の消費電力を小さくすることが可能となる。
【符号の説明】
【００６３】
１０  基地局装置
１１  基地局通信部
１３  基地局制御部
１５  基地局タイマー
２０  移動局装置
２１  移動局通信部
２３  移動局制御部
２５  移動局タイマー
【図１】
2015061191.tif 000004
【図２】
2015061191.tif 000005
【図３】
2015061191.tif 000006
【図４】
2015061191.tif 000007
【図５】
2015061191.tif 000008
【図６】
2015061191.tif 000009
【図７】
2015061191.tif 000010
【図８】
2015061191.tif 000011
【図９】
2015061191.tif 000012
【図１０】
2015061191.tif 000013
【図１１】
2015061191.tif 000014
【図１２】
2015061191.tif 000015
【図１３】
2015061191.tif 000016
【図１４】
2015061191.tif 000017
【図１５】
2015061191.tif 000018